(57)【特許請求の範囲】
【請求項１】
可動接点と対向しこの可動接点と接離する固定接点を有する固定接触子を、その長手方向に順に、端子部と段差形成部と前記固定接点を設置する固定接点設置面部とを階段形状に形成し、前記固定接点設置面部の前記固定接点を設置した側の面を、前記段差形成部と前記固定接点設置面部との境界折り曲げ部によって形成される凸側の面とするとともに、前記段差形成部に貫通穴を設け、さらに前記固定接点設置面部と前記貫通穴との間に前記貫通穴よりも大きな幅寸法の突出片を設けたことを特徴とする開閉器。
【発明の詳細な説明】
【０００１】
【発明の属する技術分野】
この発明は開閉器に関するもので、より詳しくは開閉器の端子の接点への異物防止構造に関するものである。
【０００２】
【従来の技術】
図８及び図９は従来の開閉器の端子装置の一例を示す図である。図８は開閉器が例えば盤などに取り付けられた状態を示しており、図において、１は樹脂で成形された取付台、２はこの取付台上に設けられケイ素鋼板で積層された固定鉄心、３は固定鉄心２に対向して設置されケイ素鋼板で積層された可動鉄心、４は固定鉄心２と可動鉄心３とを引き外しばね（図示せず）に抗して吸着させる駆動力を付与する電磁コイル、５は樹脂で成形され角窓５Ａを有するクロスバ−で、その下端では可動鉄心３を保持している。
【０００３】
クロスバ−５の角窓５Ａに挿入される押しばね６により押圧保持され、可動接点７Ａを有する可動接触子７が設けられており、この可動接点７Ａと対向して、電磁コイル４のオン・オフで可動接点７Ａと接離する固定接点８Ａを固定接点設置面部８Ｂ上に有する固定接触子８が設けられている。この固定接触子８は、開閉器を外部回路と接続するための端子部８Ｃを備え、この端子部８Ｃのねじ孔と端子ねじ９とが螺合されている。
【０００４】
また、固定接触子８の端子部８Ｃを取り付ける樹脂からなるベ−ス１０が設けられており、そのベース１０に、可動接点７Ａと固定接点８Ａとを遮蔽するように覆う消弧グリッド１１を保持しているアークボックス１２が取り付けられている。
【０００５】
次に、上記従来の開閉器の動作について説明する。電磁コイル４に電流を印加し可動鉄心３が固定鉄心２に吸引されることにより、可動接触子７の可動接点７Ａが固定接触子８の固定接点８Ａと接触して開閉器に接続される回路を閉じることができる。
【０００６】
【発明が解決しようとする課題】
従来の開閉器は以上に述べたように構成されており、例えば外部等より侵入した固定接触子８の端子部８Ｃ上にある異物が開閉器自身の開閉振動などで、図９に示す矢印Ｚの様に、端子部８Ｃから固定接点設置面部８Ｂを通って固定接点８Ａの可動接点７Ａとの接触面に付着すると、前述した開閉器の動作を行なった際に可動接点７Ａと固定接点８Ａとの間に異物が噛み込み、そのため接触不良を起こしてしまい回路を閉じることができなくなるといった問題があった。
【０００７】
この発明は、上記のような課題を解決するためになされたもので、固定接点面上に異物が噛み込むこと無く、回路の閉路時の接触不良を防止することができる開閉器を得るものである。
【０００８】
【課題を解決するための手段】
この発明に係る開閉器は、可動接点と対向しこの可動接点と接離する固定接点を有する固定接触子を、その長手方向に順に、端子部と段差形成部と前記固定接点を設置する固定接点設置面部とを階段形状に形成し、前記固定接点設置面部の前記固定接点を設置した側の面を、前記段差形成部と前記固定接点設置面部との境界折り曲げ部によって形成される凸側の面とするとともに、前記段差形成部に貫通穴を設け、さらに前記固定接点設置面部と前記貫通穴との間に前記貫通穴よりも大きな幅寸法の突出片を設けたものである。
【００１４】
【発明の実施の形態】
実施の形態１．
この発明による開閉器の端子装置の第１の実施の形態を図１ないし図３を用いて説明する。図中、従来例の図面と同一符号のものは、従来例のものと同一または相当部分を示し、説明を省略する。図１ないし図３において、固定接触子８の固定接点設置面部８Ｂと端子部８Ｃとの間には、固定接点設置面部８Ｂが可動接点７Ａ方向に高くなるよう段差形成部８Ｄが設けられており、この段差形成部８Ｄには貫通穴１３が設けられている。
また、固定接点設置面部８Ｂと段差形成部８Ｄとの折り曲げ部を境界折り曲げ部８Ｅとする。
【００１５】
次に、上記の様に構成された端子装置の作用について図３を参照して説明する。図３は開閉器が配線盤などに取り付けられている状態の、この開閉器を正面から見て天井方向に備えられた固定接触子８の斜視図を示しており、その固定接触子８において、開閉器の組立時、また外部回路との配線接続時などにおいて、外部から端子部８Ｃ上に侵入した異物が、開閉器自体の開閉振動などで移動していく場合、例えば図３において矢印Ｘのように端子部８Ｃから固定接点８Ａに向かって移動していくときに、その進路を妨げるように段差形成部８Ｄが形成されているため、異物が段差形成部８Ｄ上でとどまりやすくなり、異物が固定接点８Ａまで到達して固定接点８Ａに付着しにくい構造になっている。
【００１６】
さらに、段差形成部８Ｄに進路を妨げられた異物は、矢印Ｙのように段差形成部８Ｄに設けられた貫通穴１３や段差形成部８Ｄの両側に排除される。
【００１７】
実施の形態２．
この発明の第２の実施の形態を図４を用いて説明する。図４において図３と異なる構成は、固定接点設置面部８Ｂと貫通穴１３の間すなわち境界折り曲げ部８Ｅ近傍に、突出片１４を設けたことである。
【００１８】
上記の様に構成された開閉器の固定接触子８では、前述のように段差形成部８Ｄ上でとどまっている異物が排除されず、固定接点設置面部８Ｂから固定接点８Ａ上に移動しようとした場合、突出片１４が壁となって異物の段差形成部８Ｄから固定接点８Ａまでの進行が妨げられ、さらにその進行が妨げられた異物は、貫通穴１３や段差形成部８Ｄの両側によって固定接触子８上より排除されるため、固定接点８Ａに到達し付着することはない。
【００１９】
実施の形態３．
この発明の第３の実施の形態を図５を用いて説明する。図５において図３と異なるのは、段差形成部が、固定接点設置面部８Ｂの左右両側へと傾斜した面８Ｆの形状を呈するものである。端子部８Ｃより固定接点８Ａ上に移動しようとする異物は、前述の傾斜した面８Ｆが壁となり異物の進行が妨げられ、傾斜した面８Ｆに案内され、異物は矢印Ｖの様に固定接触子８の左右どちらかより排除されるため、異物が固定接点８Ａに到達し付着することはない。
【００２０】
実施の形態４．
この発明の第４の実施の形態を図６を用いて説明する。図６における固定接触子８は、固定接点設置面部８Ｂと端子部８Ｃとが同一平面上にある平板状であるが、固定接点設置面部８Ｂと端子部８Ｃとの間に突出壁１５を設け、その突出壁１５の端子部８Ｃ側に隣接する位置に貫通穴１６を設けている。
【００２１】
この実施の形態のものにおいて、固定接点８Ａ上に移動しようとする異物は、矢印Ｗのように突出壁１５によってその進行を妨げられ、その異物は突出壁１５に隣接する貫通穴１６により固定接触子８の面上より排除されるため、異物が固定接点８Ａに到達し付着することはない。
【００２２】
実施の形態５．
この発明の第５の実施の形態を図７を用いて説明する。図７における固定接触子８は固定接点設置面部８Ｂと端子部８Ｃとが同一平面上にある平板状であって、固定接点設置面部８Ｂと端子部８Ｃの間に突出壁１７を設け、この突出壁１７は固定接点設置面部８Ｂの左右両側へと傾斜した面を形成している。
【００２３】
端子部８Ｃ上より固定接点８Ａ上に移動しようとする異物は、矢印Ｕのように突出壁１７の斜面によって異物の進路が妨げられ、その斜面に案内され固定接触子８の左右どちらかより排除される。このため、異物が固定接点８Ａに到達し付着することはない。
【００２４】
【発明の効果】
以上に述べたとおりこの発明によれば、可動接点と対向しこの可動接点と接離する固定接点を有する固定接触子を、その長手方向に順に、端子部と段差形成部と前記固定接点を設置する固定接点設置面部とを階段形状に形成し、前記固定接点設置面部の前記固定接点を設置した側の面を、前記段差形成部と前記固定接点設置面部との境界折り曲げ部によって形成される凸側の面とすることにより、端子部より移動しようとする異物は段差形成部で固定接点設置面部への進行が妨げられ、固定接点に付着しにくくし、異物が固定接点に噛み込むことを無くし、また、前記段差形成部に貫通穴を設けることにより、異物を段差形成部より排除することが容易であり、開閉器による回路の閉路時に接触不良を防止するといった効果がある。また、固定接点設置面部と貫通穴との間に突出片を設けたことにより、さらに異物が固定接点面上に到達しにくく、開閉器による回路の閉路時の接触不良をさらに防止できる。
【図面の簡単な説明】
【図１】  本発明の第１の実施の形態の開閉器の半断面図。
【図２】  本発明の第１の実施の形態の開閉器の固定接触子を示した斜視図。
【図３】  本発明の第１の実施の形態の開閉器の固定接触子を示した斜視図。
【図４】  本発明の第２の実施の形態の開閉器の固定接触子を示した斜視図。
【図５】  本発明の第３の実施の形態の開閉器の固定接触子を示した斜視図。
【図６】  本発明の第４の実施の形態の開閉器の固定接触子を示した斜視図。
【図７】  本発明の第５の実施の形態の開閉器の固定接触子を示した斜視図。
【図８】  従来の開閉器の半断面図。
【図９】  従来の開閉器の固定接触子を示した斜視図。
【符号の説明】
７  可動接触子
７Ａ  可動接点
８  固定接触子
８Ａ  固定接点
８Ｂ  固定接点設置面部
８Ｃ  端子部
８Ｄ  段差形成部
８Ｅ  境界折り曲げ部
８Ｆ  段差形成部の傾斜した面
１３，１６  貫通穴
１４  突出片
１５，１７  突出壁
【図１】
0003804250.tif 000002
【図２】
0003804250.tif 000003
【図３】
0003804250.tif 000004
【図４】
0003804250.tif 000005
【図５】
0003804250.tif 000006
【図６】
0003804250.tif 000007
【図７】
0003804250.tif 000008
【図８】
0003804250.tif 000009
【図９】
0003804250.tif 000010